(57)【要約】【課題】ラマン増幅装置では励起光源に故障などが発生すると多波長信号光の光パワーの平坦性が崩れてしまうこと。【解決手段】ラマン増幅装置１００は、励起光源と励起光源多重部２とから構成される励起光供給手段１−１〜１−Ｎと、波長に対する損失特性を可変に制御可能な可変利得等化器６と、光パワーモニタ４−１〜４−Ｎと、制御部５とを有する。励起光供給手段は、互いに波長の異なる複数の信号光からなる多波長信号光が伝搬されるとともに励起光によって上記多波長信号光をラマン増幅する増幅用光ファイバ７に対して、１以上の励起光を供給する。光パワーモニタ４−１〜４−Ｎは、光ファイバ７に供給される１以上の励起光の状態を監視する。制御部５は、上記監視結果に基づいて可変利得等化器６の損失特性を制御する。可変利得等化器６は、損失特性に従って、多波長信号光に含まれる複数の信号光のそれぞれに波長に応じた損失を与える。【選択図】図１
2012018288.tif 000002
【特許請求の範囲】
【請求項１】
互いに波長の異なる複数の信号光からなる多波長信号光が伝搬されるとともに励起光によって前記多波長信号光をラマン増幅する増幅用光ファイバに対して、１以上の励起光を供給する励起光供給手段と、
前記多波長信号光に含まれる前記複数の信号光のそれぞれに波長に応じた損失を与えるとともに、波長に対する損失特性を可変に制御可能な可変利得等化器と、
前記増幅用光ファイバに供給される前記１以上の励起光の状態を監視する監視手段と、
前記監視手段による監視結果に基づいて前記可変利得等化器の前記損失特性を制御する制御手段と
を備えることを特徴とするラマン増幅装置。
【請求項２】
前記監視手段は、前記１以上の励起光の光パワーを監視する
ことを特徴とする請求項１に記載のラマン増幅装置。
【請求項３】
前記制御手段は、前記可変利得等化器の前記損失特性を、前記監視結果が示す前記１以上の励起光の光パワーの値の組み合わせに対応して予め決定されている損失特性に一致するように制御する
ことを特徴とする請求項１または２に記載のラマン増幅装置。
【請求項４】
前記１以上の励起光の光パワーの値の組み合わせに対応して制御パラメータ値を保持するテーブルを有し、
前記制御手段は、前記１以上の励起光の光パワーの値の組み合わせに対応して前記テーブルに保持されている制御パラメータ値を使用して、前記可変利得等化器を制御する
ことを特徴とする請求項１乃至３の何れかに記載のラマン増幅装置。
【請求項５】
前記励起光供給手段は、
それぞれ波長の異なる複数の励起光を発生する励起光源と、
前記複数の励起光を合波して前記増幅用光ファイバに供給する励起光源多重部と
を備えることを特徴とする請求項１乃至４の何れかに記載のラマン増幅装置。
【請求項６】
前記監視手段は、前記複数の励起光源のそれぞれの励起光の状態を監視する
ことを特徴とする請求項５に記載のラマン増幅装置。
【請求項７】
励起光供給手段と、波長に対する損失特性を可変に制御可能な可変利得等化器と、監視手段と、制御手段とを有するラマン増幅装置が実行するラマン増幅方法であって、
前記励起光供給手段が、互いに波長の異なる複数の信号光からなる多波長信号光が伝搬されるとともに励起光によって前記多波長信号光をラマン増幅する増幅用光ファイバに対して、１以上の励起光を供給し、
前記監視手段が、前記増幅用光ファイバに供給される前記１以上の励起光の状態を監視し、
前記制御手段が、前記監視結果に基づいて前記可変利得等化器の前記損失特性を制御し、
前記可変利得等化器が、前記損失特性に従って、前記多波長信号光に含まれる前記複数の信号光のそれぞれに波長に応じた損失を与える
ことを特徴とするラマン増幅方法。
【発明の詳細な説明】
【技術分野】
【０００１】
本発明は、互いに波長の異なる複数の信号光からなる多波長信号光をラマン増幅するラマン増幅装置に関する。
【背景技術】
【０００２】
信号光を用いて通信を行う光通信システムでは、送信器から送出された信号光が光伝送路を伝送する際に伝送損失を被ることによって、信号光パワーが低下する。このため、伝送路上に光増幅装置を設けて信号光を増幅することにより、伝送損失を補償している。
【０００３】
このような光増幅装置の一種に、増幅用光ファイバにおけるラマン増幅現象を利用したラマン増幅装置がある。ラマン増幅装置では、ラマン増幅用の励起光を増幅用光ファイバに対して供給し、誘導ラマン散乱により信号光の伝送損失を補償している。また、ラマン増幅器では、互いに波長が異なる複数の励起光を用いることにより、広帯域の波長範囲を増幅波長範囲として信号光を光増幅することができる。このため、ラマン増幅装置は、互いに波長が異なる複数の信号光からなる多波長信号光を用いて光通信を行う波長多重（ＷＤＭ：Wavelength Division Multiplexing）光通信システムに広く利用されている。
【０００４】
ところで、波長多重光通信システムでは、所定の波長帯域内で多波長信号光のパワーを一定にすることが重要である。このため、ラマン増幅装置を用いて所定の波長帯域内での利得スペクトルを平坦化し、多波長信号光のパワーを平坦化する技術について研究がなされている（例えば特許文献１参照）。
【０００５】
所定の波長帯域内での信号光パワーが平坦になるように多波長信号光を増幅するラマン増幅装置として、複数の励起光源それぞれから出力される励起光の波長および出力パワーを適切に調整することで利得スペクトルを平坦化したラマン増幅装置がある。以下、このような構成のラマン増幅装置を本発明に関連する第１のラマン増幅装置と呼ぶ。
【０００６】
また、所定の波長帯域内での信号光パワーが平坦になるように多波長信号光を増幅する他のラマン増幅装置として、波長に対する傾斜特性を所望の特性を持つように事前に調整した可変損失傾斜補償器を光ファイバ上に配置したラマン増幅装置がある。以下、このような構成のラマン増幅装置を本発明に関連する第２のラマン増幅装置と呼ぶ。
【０００７】
また、所定の波長帯域内での信号光パワーが平坦になるように多波長信号光を増幅する別のラマン増幅装置として、上記本発明に関連する第２のラマン増幅装置における可変損失傾斜補償器によって損失を与えられた多波長信号光をモニタするモニタ手段と、このモニタ結果に基づいて可変損失傾斜補償器の損失傾斜を制御する制御手段とを備えたラマン増幅装置がある。以下、このような構成のラマン増幅装置を本発明に関連する第３のラマン増幅装置と呼ぶ。
【先行技術文献】
【特許文献】
【０００８】
【特許文献１】特開２００３−１９５３７３号公報
【特許文献２】特開２０００−２６１３８４号公報
【特許文献１】特開２００１−３１８３５４号公報
【発明の概要】
【発明が解決しようとする課題】
【０００９】
しかしながら、上述した本発明に関連する第１乃至第３のラマン増幅装置では、故障や劣化などにより何れかの励起光源の出力パワーが完全に途絶えたり、あるいは途絶えなくても所望の値以下に低下すると、利得スペクトルが所定の波長帯域内で平坦でなくなり、信号光パワーの平坦性が崩れてしまう。本発明に関連する第３のラマン増幅装置では、信号光パワーの平坦性が崩れると、そのことがモニタ手段で検知され、制御手段によって可変損失傾斜補償器の損失傾斜が制御される。このため、本発明に関連する第３のラマン増幅装置は、本発明に関連する第１および第２のラマン増幅装置のように、信号光パワーの平坦性が長期間に亘って崩れることはないが、一時的には平坦性が崩れてしまう。その理由は、本発明に関連する第３のラマン増幅装置では、励起光源の故障等が発生してもその影響が多波長信号の光パワーの低下となって現れなければ修正動作が開始されないためである。
【００１０】
本発明の目的は、上述したような課題、すなわちラマン増幅装置では励起光源に故障などが発生すると多波長信号光の光パワーの平坦性が崩れてしまう、という課題を解決するラマン増幅装置を提供することにある。
【課題を解決するための手段】
【００１１】
本発明の一形態にかかるラマン増幅装置は、互いに波長の異なる複数の信号光からなる多波長信号光が伝搬されるとともに励起光によって上記多波長信号光をラマン増幅する増幅用光ファイバに対して、１以上の励起光を供給する励起光供給手段と、上記多波長信号光に含まれる上記複数の信号光のそれぞれに波長に応じた損失を与えるとともに、波長に対する損失特性を可変に制御可能な可変利得等化器と、上記増幅用光ファイバに供給される上記１以上の励起光の状態を監視する監視手段と、上記監視手段による監視結果に基づいて上記可変利得等化器の上記損失特性を制御する制御手段とを備えている。
【発明の効果】
【００１２】
本発明は上述したような構成を有するため、励起光源に故障などが発生すると、その影響により多波長信号光の光パワーの平坦性が崩れる前に、修正動作を行うことが可能となる。
【図面の簡単な説明】
【００１３】
【図１】本発明の第１の実施形態にかかるラマン増幅装置のブロック図である。
【図２】ラマン増幅の原理説明図である。
【図３】正常な状態の多波長励起によるラマン増幅の説明図である。
【図４】１つの励起光源が故障した時の多波長励起によるラマン増幅の説明図である。
【図５】本発明の第１の実施形態にかかるラマン増幅装置の動作説明図である。
【図６】本発明の第１の実施形態にかかるラマン増幅装置の可変利得等化器制御部に記憶されている制御テーブルの構成例を示す図である。
【図７】本発明の第２の実施形態にかかるラマン増幅装置のブロック図である。
【図８】本発明の第３の実施形態にかかるラマン増幅装置のブロック図である。
【図９】本発明の第４の実施形態にかかる波長分割多重伝送システムのブロック図である。
【図１０】本発明の第５の実施形態にかかる波長分割多重伝送システムのブロック図である。
【図１１】本発明の第６の実施形態にかかる波長分割多重伝送システムのブロック図である。
【図１２】本発明の第７の実施形態にかかる光中継器のブロック図である。
【図１３】本発明の第８の実施形態にかかる光中継器のブロック図である。
【図１４】本発明の第９の実施形態にかかる光中継器のブロック図である。
【発明を実施するための形態】
【００１４】
次に本発明の実施の形態について図面を参照して詳細に説明する。
【００１５】
[第１の実施形態]
まず、本実施形態の概要について説明する。
【００１６】
本実施形態は、ラマン増幅方式を適用した波長分割多重（ＷＤＭ）光ファイバ伝送システム用光増幅装置の構成および制御方式に関するものであり、ラマン増幅用励起光源の光レベル変化時に発生する利得傾斜、ＷＤＭ信号光のレベル変動を回避することを目的とする。
【００１７】
図１が本実施形態によるラマン増幅装置の基本構成である。ラマン増幅用の励起光源１−１〜１−Ｎの出力光は、励起光源多重部２において合波され、ＷＤＭ信号光と励起光を多重分離するＷＤＭカプラ３を介して、ＷＤＭ信号光とは反対方向に光ファイバ７に送出され、光ファイバ７内でラマン増幅効果によりＷＤＭ信号光を増幅する。ＷＤＭカプラ３の後段には、ＷＤＭ信号光のレベル偏差を補正するための可変利得等化器６を配置する。また、励起光源１−１〜１−Ｎの出力光パワーを、光パワーモニタ４−１〜４−Ｎで検出し、各励起光源１−１〜１−Ｎの光パワーモニタ結果に応じて、可変利得等化器６の損失波形を制御するための可変利得等化器制御部５を配置する。ここで、損失波形とは、損失特性とも呼ばれる。
【００１８】
ラマン増幅は、励起光源１−１〜１−Ｎの波長およびその光パワーに応じて、増幅特性が変化する性質を有する。しかし、本実施形態のラマン増幅装置１００では、各励起光源１−１〜１−Ｎの波長および光パワーの変化に応じて、変化した増幅特性の変化を可変利得等化器６にて補償することが可能となる。これにより、ラマン増幅用励起光源のレベル変動、故障によるＷＤＭ信号光の波長毎のレベル偏差やＯＳＮＲ偏差を補償し、全ＷＤＭ信号波長帯域に渡って、均一かつ良好な伝送品質を維持することが可能となる。
【００１９】
以下に本実施形態の詳細について説明する。まず、構成について説明する。
【００２０】
図１を参照すると、本実施形態のラマン増幅装置１００は、ラマン増幅用の励起光源１−１〜１−Ｎ、励起光源多重部２、励起光源１−１〜１−Ｎの励起光とＷＤＭ信号光を多重分離するためのＷＤＭカプラ３、各励起光源１−１〜１−Ｎの出力パワーを監視する光パワーモニタ４−１〜４−Ｎ、可変利得等化器６、および光パワーモニタ４−１〜４−Ｎの検出レベルに応じて可変利得等化器６を調整するための可変利得等化器制御部５から構成される。ここで、ラマン増幅用の励起光源１−１〜１−Ｎと励起光源多重部２とで、励起光供給手段を構成する。励起光源１−１〜１−Ｎの数は、１以上であれば任意でよい。励起光源１−１〜１−Ｎは、例えば半導体レーザが使用される。
【００２１】
次に、動作について説明する。励起光源１−１〜１−Ｎから出力された励起光は、励起光源多重部２で合波され、ＷＤＭカプラ３を介して、光ファイバ７へＷＤＭ主信号とは、逆方向に出力される。光ファイバ７内では、励起光により誘発されるラマン増幅により、ＷＤＭ信号光が増幅され、ＷＤＭカプラ３に入力される。ここで、ラマン増幅とは、光ファイバに強い励起光を入射した際に、ラマン散乱に基づく誘導放出が起こり、例えば図２に示すように、励起光波長より100nm程度長い波長域に増幅効果が得られる現象である。
【００２２】
ラマン増幅は、励起光源１−１〜１−Ｎの波長および出力パワーに応じて大きく変化する。一般に複数個の励起光源１−１〜１−Ｎを用いたラマン増幅装置１００においては、増幅後のＷＤＭ信号レベルが平坦となるように、励起光源１−１〜１−Ｎの波長、出力パワーが設定される。
【００２３】
本実施形態では、各励起光源１−１〜１−Ｎに接続された光パワーモニタ４−１〜４−Ｎにより、各励起光源１−１〜１−Ｎの出力パワーを監視し、各励起光源１−１〜１−Ｎの出力パワーのレベル変化を元に、可変利得等化器制御部５により可変利得等化器６を制御する。可変利得等化器制御部５においては、各励起光源１−１〜１−Ｎの出力パワーレベルに応じた可変利得等化器６の設定値を保持し、これにより可変利得等化器６のロスプロファイルの制御を行う。
【００２４】
次に効果について説明する。
【００２５】
ラマン増幅は、励起光源の波長、光パワーに応じて、増幅プロファイルが変化する性質を有する。また、ラマン増幅時の必要な利得、波長平坦性を実現するために、複数個の励起光源を備えることが一般的である。
【００２６】
図３は、３波長の励起光源を用いて、ラマン増幅を行った際の利得プロファイルを説明した図である。各励起光源（λp1〜λp3）のそれぞれ100nm程度長波長側に発生するラマン増幅利得の総和により、ラマン増幅利得を得ることができる。この際、各励起光源の波長および出力パワーは、ＷＤＭ信号波長域に生じるラマン利得の波長依存性が平坦になるように設定する。
【００２７】
しかしながら、ラマン増幅は、各励起光源によるラマン利得の和により増幅特性を実現しているため、ある特定の励起光源の出力低下、故障により、増幅特性の利得低下、波長平坦性の劣化が課題となる。
【００２８】
図４は、図３の３波長励起時のラマン増幅において、励起光源λp3が故障した場合の増幅利得プロファイルの変化を説明した図である。このように、ラマン増幅では、励起光源の出力パワー変化により、大きく増幅特性が変化する。本実施形態では、各励起光源１−１〜１−Ｎの出力パワーをモニタする機能（光パワーモニタ４−１〜４−Ｎ）と増幅プロファイルを補償するための可変利得等化器６、その可変利得等化器６を制御する制御部５を具備することにより、このような励起光源のレベル変化時のラマン増幅特性の変化を自動的に補償する機能を有している。
【００２９】
ラマン増幅は、励起光源波長および出力パワーにより利得、増幅プロファイルが一意的に決まるため、各励起光源の光パワー変化や故障に応じたラマン増幅利得変化を推定することが可能である。従って、各励起光源の光パワー変化時の利得プロファイル変化をキャンセルするような可変利得等化器６の設定値を可変利得等化器制御部５に持たせることが可能となる。
【００３０】
図５は、図３の３波長励起時における本実施形態のラマン増幅装置１００を適用した場合の可変利得等化器６の前後利得スペクトラムおよび可変利得等化器６のロスプロファイル設定を示した図である。図５において、励起光源正常時とは３つの励起光源とも正常に発光している場合を、励起光源劣化時とは、励起光源λp3が故障した場合の利得スペクトラムを示している。本実施形態のラマン増幅装置を適用することにより、励起光源故障時の増幅利得プロファイル変化を補償し、ラマン増幅の平坦性を維持することが可能となり、均一かつ良好なWDM信号の伝送品質が実現可能となる。
【００３１】
図５では、励起光源λp3が故障した場合を例に本実施形態の動作と効果を説明したが、一般的には、可変利得等化器制御部５は、可変利得等化器６の損失波形を、光パワーモニタ４−１〜４−Ｎで検知される励起光源１−１〜１−Ｎの励起光の光パワーの値（０を含む）の組み合わせに対応して予め決定されている損失波形に一致するように制御する。より具体的には、可変利得等化器制御部５は、例えば図６に示すような、１以上の励起光源１−１〜１−Ｎの光パワーの値の組み合わせＰ１１、Ｐ１２、…、Ｐ１Ｎに対応して、１以上の制御パラメータｐ１、ｐ２、…、ｐｍの値の組み合わせａ、ｂ、…、ｃを保持するテーブルを有している。そして、可変利得等化器制御部５は、図６のテーブルに保持されている制御パラメータ値を使用して、可変利得等化器６を制御する。すなわち、光パワーモニタ４−１〜４−Ｎで検知された励起光源１−１〜１−Ｎの励起光の光パワーの値の組み合わせＰ１１、Ｐ１２、…、Ｐ１Ｎに最も良く一致する組み合わせに対応してテーブルに記憶されている制御パラメータｐ１、ｐ２、…、ｐｍの値の組み合わせａ、ｂ、…、ｃを使用して、可変利得等化器６を制御する。
【００３２】
１以上の制御パラメータｐ１、ｐ２、…、ｐｍとして、どのような値を使用するかは、可変利得等化器６の構成によって相違する。例えば可変利得等化器６として、特許文献１の図４に示されているような熱光学効果を利用して損失波形を可変に制御する可変損失傾斜補償器を使用する場合、制御パラメータｐ１、ｐ２、…、ｐｍの値の組み合わせａ、ｂ、…、ｃは、熱光学効果を制御するためのパラメータ値の組み合わせとなる。
【００３３】
また例えば可変利得等化器６として、特許文献２の図１に示されるようなファブリペロー型エタロンフィルタを利用して損失波形を可変に制御する可変利得等化器を使用する場合、制御パラメータｐ１、ｐ２、…、ｐｍの値の組み合わせａ、ｂ、…、ｃは、エタロンフィルタの波長を制御するためのパラメータ値の組み合わせとなる。
【００３４】
また例えば可変利得等化器６として、特許文献３に記載されるような、磁気光学効果を利用して透過率の波長特性を変化させることが可能な複数の可変光学フィルタを利用して損失波形を可変に制御する利得等化器を使用する場合、制御パラメータｐ１、ｐ２、…、ｐｍの値の組み合わせａ、ｂ、…、ｃは、可変光学フィルタの透過率の波長特性を制御するためのパラメータ値の組み合わせとなる。
【００３５】
[第２の実施形態]
図７を参照すると、本発明の第２の実施形態にかかるラマン増幅装置２００は、図１に示した第１の実施形態にかかるラマン増幅装置１００と比較して、ＷＤＭカプラ３と可変利得等化器６の配置が逆になっている点で相違する。本実施形態のラマン増幅装置２００は、励起光源１−１〜１−Ｎの励起光をＷＤＭ信号光と同一方向に光ファイバ８に出射する構成である。その他の構成および作用効果は、第１の実施形態にかかるラマン増幅装置１００と同じである。
【００３６】
[第３の実施形態]
図８を参照すると、本発明の第３の実施形態にかかるラマン増幅装置３００は、図１に示した第１の実施形態にかかるラマン増幅装置１００と比較して、ＷＤＭ主信号と励起光とを合波するために、ＷＤＭカプラ３−１とＷＤＭカプラ３−２との２つのＷＤＭカプラを有する点で相違する。ＷＤＭカプラ３−１を介して入力された励起光は、第１の実施形態にかかるラマン増幅装置１００と同様に光ファイバ７に入射され、ＷＤＭ信号光とは逆方向に伝播し、光ファイバ７内でラマン増幅を行う。他方、ＷＤＭカプラ３−２を介して入力された励起光は、第２の実施形態にかかるラマン増幅装置２００と同様に光ファイバ８に入射され、ＷＤＭ信号光と同一方向に伝播し、光ファイバ８内でラマン増幅を行う。その他の構成および作用効果は、第１および第２の実施形態にかかるラマン増幅装置１００、２００と同じである。
【００３７】
次に、本発明のラマン増幅装置を適用した波長分割多重伝送システム、光中継器について説明する。なお、以下では、図１に示した第１の実施形態にかかるラマン増幅装置を「構成１のラマン増幅装置」、図７に示した第２の実施形態にかかるラマン増幅装置を「構成２のラマン増幅装置」と言う。
【００３８】
[第４の実施形態]
図９を参照すると、本発明の第４の実施形態にかかる波長分割多重伝送システムは、光波長多重伝送装置（送信部）９と、光ファイバ伝送路１０と、光波長多重伝送装置（受信部）１１と、構成１のラマン増幅装置１００とから構成される。この例の波長分割多重伝送システムでは、光波長多重伝送装置（受信部）１１の前段に構成１のラマン増幅装置１００が配置されている。
【００３９】
[第５の実施形態]
図１０を参照すると、本発明の第５の実施形態にかかる波長分割多重伝送システムは、光波長多重伝送装置（送信部）９と、光ファイバ伝送路１０と、光波長多重伝送装置（受信部）１１と、構成２のラマン増幅装置２００とから構成される。この例の波長分割多重伝送システムでは、光波長多重伝送装置（送信部）９の後段に構成２のラマン増幅装置２００が配置されている。
【００４０】
[第６の実施形態]
図１１を参照すると、本発明の第６の実施形態にかかる波長分割多重伝送システムは、光波長多重伝送装置（送信部）９と、光ファイバ伝送路１０と、光波長多重伝送装置（受信部）１１と、構成１のラマン増幅装置１００と、構成２のラマン増幅装置２００とから構成される。この例の波長分割多重伝送システムは、光波長多重伝送装置（受信部）１１の前段に構成１のラマン増幅装置１００を配置し、光波長多重伝送装置（送信部）９の後段に構成２のラマン増幅装置２００を配置している。
【００４１】
[第７の実施形態]
図１２を参照すると、本発明の第７の実施形態にかかる光中継器は、構成１のラマン増幅装置１００の前段に光ファイバ１２を配置し、構成１のラマン増幅装置１００の後段に光増幅器１３を配置している。光ファイバ１２において、ラマン増幅装置１００によるラマン増幅を行う。
【００４２】
[第８の実施形態]
図１３を参照すると、本発明の第８の実施形態にかかる光中継器は、構成２のラマン増幅装置２００の前段に光増幅器１３を配置し、構成２のラマン増幅装置２００の後段に光ファイバ１４を配置する。光ファイバ１４において、ラマン増幅装置２００によるラマン増幅を行う。
【００４３】
[第９の実施形態]
図１４を参照すると、本発明の第９の実施形態にかかる光中継器は、構成１のラマン増幅装置１００の前段に光ファイバ１２を配置し、構成１のラマン増幅装置１００の後段に光増幅器１３を配置している。また、光増幅器１３の後段に構成２のラマン増幅装置２００を配置し、その後段に光ファイバ１４を配置する。光ファイバ１２において、ラマン増幅装置１００によるラマン増幅を行う。また、光ファイバ１４において、ラマン増幅装置２００によるラマン増幅を行う。
【符号の説明】
【００４４】
１      励起光源
２      励起光源多重部
３      ＷＤＭカプラ
４      光パワーモニタ
５      可変利得等化制御部
６      可変利得等化器
７      光ファイバ
８      光ファイバ
９      光波長多重伝送装置
１０    光ファイバ伝送路
１１    光波長多重伝送装置
１２    光ファイバ
１３    光増幅器
１４    光ファイバ
１００  ラマン増幅装置
２００  ラマン増幅装置
３００  ラマン増幅装置
【図１】
2012018288.tif 000003
【図２】
2012018288.tif 000004
【図３】
2012018288.tif 000005
【図４】
2012018288.tif 000006
【図５】
2012018288.tif 000007
【図６】
2012018288.tif 000008
【図７】
2012018288.tif 000009
【図８】
2012018288.tif 000010
【図９】
2012018288.tif 000011
【図１０】
2012018288.tif 000012
【図１１】
2012018288.tif 000013
【図１２】
2012018288.tif 000014
【図１３】
2012018288.tif 000015
【図１４】
2012018288.tif 000016